(57)【要約】      （修正有）【課題】薄い直方体形状の物品を、傾斜させて保持できるスタンドを提供する。スランタブルスタンドにより、テレビのリモコン、携帯電話、ノートパソコン等を、傾斜させて保持することができ、容易に傾斜角度を変更できる。【解決手段】断面形状がＬ字５と逆Ｌ字６の底面の間にスキマ１０を設けた状態で、そのスキマ１０の中心付近で底面の厚みより上で、屈曲できる様に旋回中心７を設けたスタンドであって、Ｌ字５と逆Ｌ字６の大きさが大小異なるのが特徴である。物品２の傾きを変えてスタンドに載せると、自然に２種類の傾斜角で保持することができる。【選択図】図３
2012038993.tif 000002
【特許請求の範囲】
【請求項１】
断面形状が、大小異なるＬ字と逆Ｌ字の底面の間に、スキマを設けた状態で、そのスキマの中心付近で、底面の厚みより上で屈曲できる様に旋回中心を設け、Ｌ字と逆Ｌ字を継いだ構成であって、自然に２種類以上の傾斜角で、薄い直方体の物品を保持できるのを特徴とするスタンド。
【発明の詳細な説明】
【技術分野】
【０００１】
本発明は、薄い直方体の物品を傾斜させて保持する、スタンドに関するものである。
【背景技術】
【０００２】
携帯電話、テレビのリモコン、ノートパソコン、タッチパネル等の、薄い直方体の物品２を仮置き、又は、ディスプレイ用として、傾斜させて立たせておくものには、図１の様なスタンド１がよく見られる。
【０００３】
傾斜角４は、３０度以下のものが多く、スタンド１の形状によって傾斜角４は決まっている。
【０００４】
回転軸と固定用ネジを用いて手動で傾斜角４を変えられるものはあるが、大掛かりなものである。
【０００５】
又、この傾斜角４を図２の様に４５度以上にする為には、物品２と同じくらいの大きさのスタンド１になってしまう。
【先行技術文献】
【特許文献】
【０００６】
【特許文献１】特開２０１０−００４５０８
【特許文献２】特開２００４−３１０７０１
【特許文献３】特開２００２−０９４６３４
【特許文献４】特開２００７−２９３９１３
【特許文献５】特開２００５−３３７４８４
【特許文献６】特開２００４−２８８１４９
【特許文献７】特開２００４−２１３４４６
【特許文献８】再表９７／０３９４０２
【特許文献９】特許４１４５１８２
【特許文献１０】特許３３９０３７３
【特許文献１１】特許３３９０３７４
【発明の概要】
【発明が解決しようとする課題】
【０００７】
本発明は、薄い直方体形状の物品をその置き方によって、自然に２種類以上の傾斜角で保持できるスタンドを提供する。
【課題を解決するための手段】
【０００８】
断面形状が図３（ａ）の様にＬ字５と逆Ｌ字６の底面の間にスキマ１０を設けた状態で、そのスキマ１０の中心付近で底面の厚みより上で、屈曲できる様に旋回中心７を設けたスタンドであって、Ｌ字５と逆Ｌ字６の大きさが大小異なるのが特徴である。
【０００９】
図３では、Ｌ字５と逆Ｌ字６をビニールテープ８で継ぎ、旋回中心７で屈曲させる様にしたが、図４の様に蝶番９で継いでも良い。
【００１０】
図３（ａ）のＬ字５を右から左へ押す外力を加えると、図３（ｂ）の様に旋回中心で屈曲し、Ｌ字５と逆Ｌ字６が開く状態となる。
【００１１】
旋回中心７が、Ｌ字５と逆Ｌ字６の底面の厚みより上にあれば、スキマ１０が無くなった状態でストッパとなり、それ以上、開かなくなる。
【００１２】
図３（ｂ）の状態より外力を除けば、重力バランス上、図３（ａ）の形に戻るのを特徴とする。
【発明の効果】
【００１３】
図５、図６の様に、物品２の傾きを変えてスタンドに載せると、自然に２種類の傾斜角４で保持することができる。
【図面の簡単な説明】
【００１４】
【図１】従来技術の例を示す断面図。
【図２】従来技術の例を示す断面図。
【図３】本発明の構成を示す断面図。
【図４】本発明の実施例を示す斜視図。
【図５】本発明の実施例を示す断面図。（実施例１）
【図６】本発明の実施例を示す断面図。（実施例１）
【図７】本発明の実施例を示す断面図。（実施例１）
【図８】本発明の実施例を示す断面図。（実施例２）
【図９】本発明の実施例を示す断面図。（実施例２）
【図１０】本発明の実施例を示す断面図。（実施例３）
【図１１】本発明の実施例を示す断面図。（実施例３）
【図１２】本発明の実施例を示す断面図。（実施例４）
【図１３】本発明の実施例を示す断面図。（実施例４）
【図１４】本発明の実施例を示す断面図。（実施例４）
【発明を実施するための形態】
【００１５】
本発明の実施例を添付図面に基づいて詳細に説明する。
【実施例１】
【００１６】
本発明のスランタブルスタンドの間に、図５の様に、物品２を傾斜角４が小さい（３０度程度）状態で上から入れると、Ｌ字５と逆Ｌ字６の旋回中心７付近に下向きの力がかかる為、この傾きのまま、物品２を保持することができる。
【００１７】
スタンドの間に、図６の様に、物品２を傾斜角４が大きい（４５度程度）状態で逆Ｌ字６を少し開きながら上から入れると、この状態でバランスを保持することができる。
【００１８】
図５のスキマ１０が、図６では無くなりストッパとなるので、これ以上開くことは無い。
物品２を取り除くと、図５の状態に戻るのを特徴とする。
【００１９】
図５、図６、どちらの状態においても、Ａ点１１が重心３より左側に位置する必要があり、又、どちらの状態でも傾斜角４は、Ｌ字５の各々の辺（底辺と立辺）の長さによって決まる。
【００２０】
尚、逆Ｌ字６は、旋回中心７で回転することができるので、図７の様な形状にもできる。この状態で物品２を置くと傾斜角４を最小にできる。
【実施例２】
【００２１】
図８の様に、Ｌ字５と逆Ｌ字６のＬ字角を少し鋭角にすると、図９の場合の傾斜角４の時、Ｌ字５の立辺が地面と垂直に近くなる為、効率が良くなる。
【実施例３】
【００２２】
Ｌ字５と逆Ｌ字６は板材でも形材でもかまわないが、図１０の様に逆Ｌ字６の角部にＲを付けると、当社出願・特願２０１０−２１２１１で示したごとく、逆Ｌ字６は外に開きたがるが、本発明では、Ｌ字５の重量が邪魔をして開かない。
【００２３】
しかし、図１１の様に傾斜角４を大きくして物品２を載せると滑る様にして図１１の状態でバランスを保つ。
尚、この場合も、物品２を取り除けば、図１０の状態に自然に戻る。
【実施例４】
【００２４】
図１２（ａ）の様に、Ｌ字５と逆Ｌ字６の角部にＲを付けると、当社出願・特願２０１０−２１２１１で示したごとく、図１２（ｂ）の様に自然に自重で外側に開く。大小異なるＬ字５と逆Ｌ字６を、実施例１、２、３と同様に旋回中心７で継げると、スタンド自体、図１２（ａ）の形状で保つ。
【００２５】
図１３の様に、物品２を傾斜角４が小さい（３０度程度）状態で上から入れると、Ｌ字５と逆Ｌ字６の旋回中心７付近に下向きの力がかかる為、Ｌ字５と逆Ｌ字６は閉じて、この傾斜角４で保持することができる。
【００２６】
図１４の様に、物品２を傾斜角４が大きい（４５度程度）状態で載せると、スタンドは図１２（ａ）の状態を保ち、そのままの形状で保持することができる。
【００２７】
実施例４は、実施例１、２、３とは反対の作用をしているが、自然に２種類の傾斜角４で保持することができる。  
【産業上の利用可能性】
【００２８】
一般的に、薄い直方体の物品を傾斜させて置く場合、スタンドが必要であり、通常は専用のスタンドで傾斜角度が容易に変更できるものは無い。
【００２９】
本発明のスランタブルスタンドは、機構が簡単で２種類以上の傾斜角を容易に変更できるので、あらゆる分野での利用価値が高い。
【符号の説明】
【００３０】
１    スタンド
２    物品
３    重心
４    傾斜角
５    Ｌ字
６    逆Ｌ字
７    旋回中心
８    ビニールテープ
９    蝶番
１０  スキマ
１１  Ａ点
【図１】
2012038993.tif 000003
【図２】
2012038993.tif 000004
【図３】
2012038993.tif 000005
【図４】
2012038993.tif 000006
【図５】
2012038993.tif 000007
【図６】
2012038993.tif 000008
【図７】
2012038993.tif 000009
【図８】
2012038993.tif 000010
【図９】
2012038993.tif 000011
【図１０】
2012038993.tif 000012
【図１１】
2012038993.tif 000013
【図１２】
2012038993.tif 000014
【図１３】
2012038993.tif 000015
【図１４】
2012038993.tif 000016